【手続補正書】
【提出日】平成28年4月11日(2016.4.11)
【手続補正１】
【補正対象書類名】明細書
【補正対象項目名】０００８
【補正方法】変更
【補正の内容】
【０００８】
本発明は、複数の表示領域の表示画像を入れ替える場合に、表示領域における画像の共有状態に応じて、表示画像の入れ替えを行うか否かを決定することが可能な仕組みを提供することを目的とする。
【手続補正２】
【補正対象書類名】明細書
【補正対象項目名】０００９
【補正方法】変更
【補正の内容】
【０００９】
本発明の情報処理システムは、複数の情報処理装置のユーザをそれぞれ表示する複数の会議画像と、前記複数の情報処理装置間で共有する画像として指定された共有画像とを各情報処理装置に送信するサーバと、画像を表示する親の表示領域と子の表示領域を含む表示画面を表示する表示手段を備えた情報処理装置と、を含む情報処理システムであって、前記親の表示領域に表示する画像と子の表示領域に表示する画像とを入れ替える操作を受け付ける入替操作受付手段と、前記親の表示領域に表示する画像が前記共有画像として共有中である場合には親の表示領域に表示されている前記共有画像と子の表示領域に表示されている前記会議画像の表示を入れ替えることなく、前記親の表示領域に表示する画像が前記共有画像として共有中でない場合に、前記入替操作受付手段で受け付けた入替操作に応じて、前記親の表示領域に表示されている前記会議画像と子の表示領域に表示されている前記会議画像を入れ替えて表示することを決定する決定手段と、を備えることを特徴とする。
【手続補正３】
【補正対象書類名】明細書
【補正対象項目名】００１０
【補正方法】変更
【補正の内容】
【００１０】
本発明によれば、複数の表示領域の表示画像を入れ替える場合に、表示領域における画像の共有状態に応じて、表示画像の入れ替えを行うか否かを決定することが可能な仕組みを提供することが出来る。
【手続補正４】
【補正対象書類名】特許請求の範囲
【補正対象項目名】全文
【補正方法】変更
【補正の内容】
【特許請求の範囲】
【請求項１】
複数の情報処理装置のユーザをそれぞれ表示する複数の会議画像と、前記複数の情報処理装置間で共有する画像として指定された共有画像とを各情報処理装置に送信するサーバと、画像を表示する親の表示領域と子の表示領域を含む表示画面を表示する表示手段を備えた情報処理装置と、を含む情報処理システムであって、
前記親の表示領域に表示する画像と子の表示領域に表示する画像とを入れ替える操作を受け付ける入替操作受付手段と、
前記親の表示領域に表示する画像が前記共有画像として共有中である場合には親の表示領域に表示されている前記共有画像と子の表示領域に表示されている前記会議画像の表示を入れ替えることなく、前記親の表示領域に表示する画像が前記共有画像として共有中でない場合に、前記入替操作受付手段で受け付けた入替操作に応じて、前記親の表示領域に表示されている前記会議画像と子の表示領域に表示されている前記会議画像を入れ替えて表示することを決定する決定手段と、
を備えることを特徴とする情報処理システム。
【請求項２】
前記入替操作受付手段で受け付ける入替操作は前記表示領域の選択操作であって、
前記決定手段で、前記画像の表示の入れ替えを行わないことを決定した場合に、前記選択操作がされた前記表示領域に表示されている画像を振動させるよう制御することで、前記入れ替えを行わない旨をユーザに通知する通知手段を
備えることを特徴とする請求項１に記載の情報処理システム。
【請求項３】
前記情報処理装置の備える撮像手段により撮像された撮像画像を、前記会議画像として前記サーバと通信可能な複数の情報処理装置に随時送信する会議画像送信手段と、
前記情報処理装置は、
前記複数の情報処理装置で共有して表示させる共有画像の指定を受け付ける共有画像指定受付手段と、
前記複数の情報処理装置に対して、前記共有画像指定受付手段で指定を受け付けた前記共有画像を送信する共有画像送信手段と、
前記会議画像送信手段された会議画像、及び前記共有画像送信手で送信された共有画像を受信する受信手段と、
前記受信手段で共有画像を受信した場合に、前記親の表示領域に当該共有画像を表示させるよう制御する表示制御手段と、
を備えることを特徴とする請求項１又は２に記載の情報処理システム。
【請求項４】
前記会議画像の取得元を記憶する会議画像取得元記憶手段と、
前記共有画像の取得元を記憶する共有画像取得元記憶手段と、
前記共有画像取得元記憶手段により記憶されている共有画像の取得元と同じ取得元から取得された前記会議画像を、前記子の表示領域に優先して表示することを決定する優先表示決定手段と、
を備えることを特徴とする請求項１乃至３のいずれか１項に記載の情報処理システム。
【請求項５】
複数の情報処理装置のユーザをそれぞれ表示する複数の会議画像と、前記複数の情報処理装置間で共有する画像として指定された共有画像を各情報処理装置に送信するサーバと、画像を表示する親の表示領域と子の表示領域を含む表示画面を表示する表示手段を備えた情報処理装置と、を含む情報処理システムの制御方法であって、
入替操作受付手段が、前記親の表示領域に表示する画像と子の表示領域に表示する画像とを入れ替える操作を受け付ける入替操作受付工程と、
決定手段が、前記親の表示領域に表示する画像が前記共有画像として共有中である場合には親の表示領域に表示されている前記共有画像と子の表示領域に表示されている前記会議画像の表示を入れ替えることなく、前記親の表示領域に表示する画像が前記共有画像として共有中でない場合に、前記入替操作受付工程で受け付けた入替操作に応じて、前記親の表示領域に表示されている前記会議画像と子の表示領域に表示されている前記会議画像を入れ替えて表示することを決定する決定工程と、
を含むことを特徴とする情報処理システムの制御方法。
【請求項６】
複数の情報処理装置間のユーザをそれぞれ表示する複数の会議画像と、前記複数の情報処理装置間で共有する画像として指定された共有画像を各情報処理装置に送信するサーバと、画像を表示する親の表示領域と子の表示領域を含む表示画面を表示する表示手段を備えた情報処理装置と、を含む情報処理システムを制御するプログラムであって、
前記情報処理システムを、
前記親の表示領域に表示する画像と子の表示領域に表示する画像とを入れ替える操作を受け付ける入替操作受付手段と、
前記親の表示領域に表示する画像が前記共有画像として共有中である場合には親の表示領域に表示されている前記共有画像と子の表示領域に表示されている前記会議画像の表示を入れ替えることなく、前記親の表示領域に表示する画像が前記共有画像として共有中でない場合に、前記入替操作受付手段で受け付けた入替操作に応じて、前記親の表示領域に表示されている前記会議画像と子の表示領域に表示されている前記会議画像を入れ替えて表示することを決定する決定手段として機能させることを特徴とする情報処理システムのプログラム。
【請求項７】
複数の情報処理装置間のユーザをそれぞれ表示する複数の会議画像と、前記複数の情報処理装置間で共有する画像として指定された共有画像を各情報処理装置に送信するサーバと接続可能な、画像を表示する親の表示領域と子の表示領域を含む表示画面を備える情報処理装置であって、
前記親の表示領域に表示する画像と子の表示領域に表示する画像とを入れ替える操作を受け付ける入替操作受付手段と、
前記親の表示領域に表示する画像が前記共有画像として共有中である場合には親の表示領域に表示されている前記共有画像と子の表示領域に表示されている前記会議画像の表示を入れ替えることなく、前記親の表示領域に表示する画像が前記共有画像として共有中でない場合に、前記入替操作受付手段で受け付けた入替操作に応じて、前記親の表示領域に表示されている前記会議画像と子の表示領域に表示されている前記会議画像を入れ替えて表示することを決定する決定手段と、
を備えることを特徴とする情報処理装置。
【請求項８】
複数の情報処理装置間のユーザをそれぞれ表示する複数の会議画像と、前記複数の情報処理装置間で共有する画像として指定された共有画像を各情報処理装置に送信するサーバと接続可能な、画像を表示する親の表示領域と子の表示領域を含む表示画面を備える情報処理装置の制御方法であって、
入替操作受付手段が、前記親の表示領域に表示する画像と子の表示領域に表示する画像とを入れ替える操作を受け付ける入替操作受付工程と、
決定手段が、前記親の表示領域に表示する画像が前記共有画像として共有中である場合には親の表示領域に表示されている前記共有画像と子の表示領域に表示されている前記会議画像の表示を入れ替えることなく、前記親の表示領域に表示する画像が前記共有画像として共有中でない場合に、前記入替操作受付工程で受け付けた入替操作に応じて、前記親の表示領域に表示されている前記会議画像と子の表示領域に表示されている前記会議画像を入れ替えて表示することを決定する決定工程と、
を含むことを特徴とする情報処理装置の制御方法。
【請求項９】
複数の情報処理装置間のユーザをそれぞれ表示する複数の会議画像と、前記複数の情報処理装置間で共有する画像として指定された共有画像を各情報処理装置に送信するサーバと接続可能な、画像を表示する親の表示領域と子の表示領域を含む表示画面を備える情報処理装置で実行が可能なプログラムであって、
前記情報処理装置を、
前記親の表示領域に表示する画像と子の表示領域に表示する画像とを入れ替える操作を受け付ける入替操作受付手段と、
前記親の表示領域に表示する画像が前記共有画像として共有中である場合には親の表示領域に表示されている前記共有画像と子の表示領域に表示されている前記会議画像の表示を入れ替えることなく、前記親の表示領域に表示する画像が前記共有画像として共有中でない場合に、前記入替操作受付手段で受け付けた入替操作に応じて、前記親の表示領域に表示されている前記会議画像と子の表示領域に表示されている前記会議画像を入れ替えて表示することを決定する決定手段として機能させることを特徴とする情報処理装置のプログラム。